(57)【要約】  少なくとも２つの薬剤を同時送達するための注射システム用の薬用モジュール（２００）が開示される。薬物送達デバイス（１００）は用量ダイヤルボタン（１１３）に操作可能に連結されるプッシュロッド（４００）を含む。薬用モジュール（２００）は薬物送達デバイス（１００）に取り付けのために構成されるコネクタを有するハウジング（２０２）を含み、そしてハウジング（２０２）は、薬用モジュール（２００）が薬物送達デバイス（１００）に取り付けられるときにプッシュロッド（４００）の一部分を受け入れるように構成される。薬用モジュール（２００）は更に、単回用量の薬剤（３００）を含んでなるハウジング（２０２）中にリザーバ（３０２）を、そしてハウジング（２０２）に操作可能に連結され、そして注射部位へ適用中に軸方向（２１８）に動くように構成されるニードルガード（２１６）を含む。尚更に、薬用モジュール（２００）は、ハウジング（２０２）に軸方向に動くように構成されるハウジング（２０２）中にスリーブ（２２０）、及びハウジング（２０２）に軸方向及び回転方向に動くように構成されるハウジング（２０２）中にロッキングカラー（２２３）を含む。【選択図】  図３
2013518643.tif 000002
【特許請求の範囲】
【請求項１】
薬物送達デバイス（１００）は第１の薬剤を保持するための一次リザーバを含み、そして薬用モジュール（２００）は第２の薬剤（３００）を含む、薬物送達デバイスに取り付け可能な薬用モジュールであって、
第２の薬剤(３００)を保持するためのリザーバ（３０２）；
薬用モジュール（２００）の一部分に配置され、そして注射部位に適用中に軸方向（２１８）に動くように構成される少なくとも１つの針（２１０）に対する保護を提供するためのニードルガード（２１６）；
ロッキング手段（２２０、２２２）が薬物送達デバイス（１００）の用量ボタン（１１３）の起動に、そしてニードルガード（２１６）の軸方向運動に操作可能に連結するように構成されている、ニードルガード（２１６）の軸方向運動を不可能にするためのロッキング手段（２２０、２２２）；
を更に含んでなり、
ここでロッキング手段（２２０、２２２）は更に、事前に定義された回数の用量送達操作の後にだけニードルガード（２１６）が軸方向に動くことを不可能にするように構成され、用量送達操作がニードルガード（２１６）を軸方向に動かし、そして用量を送達するための用量ボタン（１１３）を起動する工程、を更に含む、上記モジュール。
【請求項２】
ロッキング手段（２２０、２２２）は、ニードルガード（２１６）の後退位置での用量ボタン（１１３）の起動のみが用量送達操作としてカウントされるように構成される、請求項１に記載の薬用モジュール。
【請求項３】
事前に定義された回数の用量送達操作が行われるまでニードルガード（２１６）は軸方向に可動なように構成される、請求項１又は２に記載の薬用モジュール。
【請求項４】
ロッキング手段（２２０、２２２）は、回転部材（２２２）が各用量送達操作後に規定の回転運動を行い、それにより送達用量の回数をカウントするように構成される回転部材（２２２）を含む、請求項１〜３のいずれか１項に記載の薬用モジュール。
【請求項５】
ロッキング手段（２２０、２２２）は薬物送達デバイス（１００）のデバイス連結部材（４００）と係合可能であるモジュール連結部材（２２０）を含み、デバイス連結部材（４００）は用量ボタン（１１３）に操作可能に連結され、そしてモジュール連結部材（２２０）は軸方向に可動であるように構成される、請求項１〜４のいずれか１項に記載の薬用モジュール。
【請求項６】
モジュール連結部材（２２０）は第１の傾斜機能(２２１)を含み、回転部材（２２２）は第２の傾斜機能(２２３)を含み、そして所与の用量が送達されたとき、第１の傾斜機能(２２１)及び第２の傾斜機能(２２３)は、所与の用量が送達されたとしてカウントするのを容易にするように、相互作用して回転部材（２２２）を強制的に回転させる、請求項５に記載の薬用モジュール。
【請求項７】
ニードルガード（２１６）はニードルガード（２１６）の軸方向運動を不可能にするためのロッキング機能（４１４）を含み、そしてロッキング手段（２２０、２２２）は回転部材（２２２）が事前に定義された回数の用量が送達された後、ロッキング機構（４１４）と係合するように構成される、請求項４〜６のいずれか１項に記載の薬用モジュール。
【請求項８】
第１のばね（２２４）及び第２のばね（２２６）を更に含んでなり、第１のばね（２２４）はニードルガード（２１６）に操作可能に連結され、そして第２のばね（２２６）は回転部材（２２２）に操作可能に連結される、請求項４〜７のいずれか１項に記載の薬用
モジュール。
【請求項９】
所与の用量が送達された後、第１のばね（２２４）はニードルガード（２１６）を軸方向に押し出し、そして第２のばね（２２６）は、所与の用量が送達されたとしてカウントするのを容易にするように、回転部材（２２２）を軸方向に押し出す、請求項８に記載の薬用モジュール。
【請求項１０】
事前に定義された回数の用量が１回の用量から４回の用量までの範囲にある、請求項１〜９のいずれか１項に記載の薬用モジュール。
【請求項１１】
下記の設計：
ａ）モジュール連結部材（２２０）はスリーブ（２２０）を含む、
ｂ）回転部材（２２２）はロッキングカラー（２２２）を含む、
ｃ）デバイス連結部材（４００）はプッシュロッド（４００）を含む、
の少なくとも１つを有する、請求項１〜１０のいずれか１項に記載の薬用モジュール。
【請求項１２】
第１及び第２のニードルカニューレ（２０８、２１０）を更に含んでなり、第１のニードルカニューレ（２０８）が薬用モジュール（２００）の近位端に取り付けられ、そして第２のニードルカニューレ（２１０）が薬用モジュール（２００）の遠位端に取り付けられ、２つのニードルカニューレ（２０８、２１０）は、ニードルガード（２１６）が近位方向に後退したとき第２の薬剤（３００）と流体連通にある、請求項１〜１１のいずれか１項に記載の薬用モジュール。
【請求項１３】
請求項１〜１２のいずれか１項に記載の薬用モジュール（２００）を含んでなる２つ又はそれ以上の薬剤を送達するための薬物送達システムであって、
薬用モジュール（２００）のロッキング手段（２２０、２２２）に操作可能に連結される用量ボタン（１１３）；
用量ボタン（１１３）をロッキング手段（２２０、２２２）に操作可能に連結するデバイス連結部材（４００）；及び
薬用モジュール（２００）が一次リザーバと流体連通するように構成される、少なくとも１つの薬物作用物質を含む薬剤の一次リザーバ；
を更に含んでなる薬物送達システム。
【請求項１４】
所与の用量を送達中、
（ｉ）所与の用量が選択され、このときデバイス連結部材（４００）及びモジュール連結部材（２２０）が第１の軸方向（８０２）に動き、
（ｉｉ）ニードルガード（２１６）は第１の軸方向（８０２）に後退し、それにより回転部材（２２２）を第１の方向（８０２）に軸方向に強制的に動かし、
（ｉｉｉ）デバイス連結部材（４００）は、その後第２の軸方向（８０４）に動き、そしてモジュール連結部材（２２０）を実質的に第１の軸方向（８０２）と反対側の第２の軸方向（８０４）に強制的に動かし、そして
（ｉｖ）モジュール連結部材（２２０）は回転部材（２２２）と相互作用し、そして回転部材（２２２）を円周方向に強制的に回転させ、
（ｖ）ニードルガード（２１６）は第１の軸方向（８０２）とは実質的に反対側の第２の軸方向（８０４）に伸びているとき、それは所与の用量が送達されたとしてカウントするように、回転部材を第２の方向（８０４）に軸方向に動かし、そして円周方向に回転させることを可能にする、請求項１３に記載の薬物送達システム。
【請求項１５】
Ａ）請求項１〜１２のいずれか１項に記載の薬用モジュール（２００）を備える工程；
Ｂ）薬用モジュール（２００）を、用量ボタン（１１３）、薬剤の一次リザーバ、及び用量ボタン（１１３）に操作可能に連結されるデバイス連結部材（４００）を含む薬物送達デバイス（１００）に取り付ける工程；
Ｃ）デバイス連結部材（４００）が近位に動くように薬物送達デバイス（１００）で薬剤の用量を設定する工程；
Ｄ）薬剤が薬物送達デバイス（１００）の一次リザーバから薬用モジュール（２２０）のリザーバ（３０２）の周りに、そして針（２１０）を通して遠位方向に押し出されるように、プライミング操作を行うための用量ボタン（１１３）を起動する工程；
を含んでなる、薬物送達システムを試験するための方法。
【請求項１６】
Ｅ）ニードルガード（２１６）を近位方向に動かし、それによりニードルガード（２１６）及びモジュール連結部材（２２０）の機械的協動によってモジュール連結部材（２２０）を近位方向に動かす工程；
Ｆ）デバイス連結部材（４００）が近位に動くように薬物送達デバイス（１００）で薬剤の更なる用量を設定する工程；
Ｇ）連結部材（４００）を遠位に動かすために用量ボタン（１１３）を起動し、それによりモジュール連結部材（２２０）を遠位に動かし、そしてモジュール連結部材（２２０）及び回転部材（２２）の機械的協動によって薬用モジュール（２００）に配列された回転部材（２２２）を起動し、ここで回転部材（２２２）の起動は、事前に定義された回数の用量が送達された後、回転部材（２２２）及びニードルガード（２１６）の機械的協動によって、薬用モジュール（２００）のニードルガード（２１６）が軸方向に動くことを防止するように構成される工程；
を更に含んでなる、請求項１５に記載の方法。
【発明の詳細な説明】
【技術分野】
【０００１】
本開示の具体的な実施態様は、少なくとも２つの薬物作用物質（drug agent）を、単回用量設定機構及び単回投与インターフェイスだけを有するデバイスを用いて、別々のリザーバから送達する医療デバイス及び方法に関する。使用者によって開始される単回送達手順は、第２の薬物作用物質の非使用者設定可能用量、及び第１の薬物作用物質（drug agent）の可変設定用量を患者に送達するようにさせ得る。薬物作用物質は、２つ又はそれ以上のリザーバ、容器又は包装にて利用可能で、各々は独立の（単一薬物化合物）又はプレミックスされた（共製剤化多剤薬物化合物（co-formulated multiple drug compounds））薬物作用物質を含む。具体的には、本開示の実施態様は、事前に定義された回数の用量が送達された後にロックアウトするニードルガードを有する薬用モジュールに関する。それにより、薬用モジュールの意図しない再使用が防止され得る。
【背景技術】
【０００２】
特定の病状は１つ又はそれ以上の異なる薬剤を用いる処置を必要とする。幾つかの薬物化合物は、最適治療用量を送達するために、互いに特定の関連において送達する必要がある。今回提案のデバイス及び方法は、併用療法が望ましく、限定されるものではないが、安定性、不十分な治療効果及び毒性などの理由で単一製剤では可能でない場合に特に利点があり得る。
【０００３】
例えば、ある場合には、長時間作用型インスリンで、及びプログルカゴン遺伝子の転写産物から由来する、グルカゴン様ペプチド−１（ＧＬＰ−１）で糖尿病患者を処置することは有利であり得る。ＧＬＰ−１は体内に見出され、消化管ホルモンとして腸管Ｌ細胞により分泌される。ＧＬＰ−１は、それ（及びそのアナログ）を糖尿病の有力な処置法として広範囲な検討の対象とする幾つかの生理学的性質を有する。
【０００４】
２つの活性薬剤又は「作用物質類（agents）」を同時に送達するときに、多くの潜在的な問題がある。２つの活性作用物質は、製剤の長期、貯蔵期間保存中に互いに相互作用し得る。従って、活性成分を別々に保存すること、及び送達、例えば注射、無針注射、ポンプ、又は吸入の時点でそれらを組み合わせることは有利である。しかしながら、２つの作用物質を組み合わせる方法は、使用者が確実に反復してそして安全に実施できるように単純かつ簡便である必要がある。
【０００５】
更なる問題は、併用療法を構成する各活性作用物質の量及び／又は割合は、各使用者で又はそれらの療法の異なる工程で変える必要があり得ることである。例えば１つ又はそれ以上の活性作用物質は、患者を「維持」用量まで徐々に導くのに調節期間（titration period）を必要とし得る。更なる例は、１つの活性作用物質が無調整固定用量を必要とする一方で、他の作用物質は患者の症状又は身体状況に応じて変わる場合である。この問題は、これらのプレミックス製剤が医療関係者又は使用者により変動することができない活性成分の固定比率を有する可能性があることから、複数の活性作用物質のプレミックス製剤は好適ではない可能性があることを意味する。
【０００６】
更なる問題は、多くの使用者が１つの薬物送達システムよりも多くを使用しなければならず、又は所要用量組み合わせの必要な正確な計算をする必要があるのに対処することができないために、多剤化合物療法が必要な場合に生じる。これは特に器用さ又は計算困難な使用者に具体的に当てはまる。状況次第では、薬剤を投与する前にデバイス及び／又はニードルカニューレのプライミング手順を行うことも必要となり得る。同様に、場合によっては、１つの薬物化合物をバイパスして、別々のリザーバから単一の薬剤だけを投与することが必要となる可能性がある。
【０００７】
従って、使用者が行うのに簡単な単回注射又は送達工程において、２つ又はそれ以上の薬剤送達のためのデバイス及び方法を提供する必要性が存在する。今回提案のデバイス及び方法の具体的な実施態様は、次いで単回送達手順中にただ組み合わせて及び／又は患者に送達される２つ又はそれ以上の活性作用物質用の別々の保存容器を備えることにより、上記の問題を克服する。１つの薬剤の用量設定は、第２の薬剤の用量を自動的に固定又は決定し得る(即ち非使用者設定可能)。今回提案のデバイス及び方法はまた、１つ又は両方の薬剤の量を変えるための機会を与え得る。例えば、１つの流体量は注射デバイスの性質を変えることにより変更し得る（例えば使用者可変用量をダイヤルするか又はデバイスの「固定」用量を変える）。第２の流体量は、第２の活性作用物質の異なる容積及び／又は濃度を含む各バリアントを備えた包装を含む種々の２次薬物を製造することにより変えられ得る。次いで使用者又は医療関係者は、最も適切な２次包装、又は特定の処置計画のための一連の異なる包装若しくはその一連の組み合わせを選択し得る。
【発明の概要】
【発明が解決しようとする課題】
【０００８】
本発明によって解決されるべき問題は、薬剤の投与が改良されるような薬用モジュール、ニードル組立体、薬物送達システム及び薬剤を投与する方法を提供することである。
【課題を解決するための手段】
【０００９】
開示薬用モジュール及び薬物送達デバイスは、単回薬物送達システム内で多剤薬物化合物の複合組み合わせを可能にし得る。具体的実施態様によれば、使用者は、１つの単回用量設定機構及び単回投与インターフェイスを通して多剤薬物化合物デバイスを設定及び投与するようにし得る。本単回用量設定器は、薬剤の１つの単回用量が単回投与インターフェイスを通して設定及び投与されるときに、個々の薬物化合物の事前に定義された組み合わせが送達されるように、デバイスの機構を適宜調節し得る。
【００１０】
個々の薬物化合物間の治療的関係を規定することにより、提案送達デバイス及び送達法は、患者／使用者がデバイスを使用する毎に正確な用量組み合わせを算出し設定する必要がある場合、多回入力に伴う固有のリスクなしに多剤薬物化合物デバイスから最適な治療的組み合わせ用量を受け入れることを確実にするのに役立ち得る。薬剤は、その形状を変え易い力によって作動するとき、流れることができそして安定した速度で形状を変える、本明細書で液体又は気体又は紛体と定義される流体であってよい。あるいは、薬剤の１つ又は両方は、輸送され、溶解されるかさもなければ別の流体薬剤と併せて投与される固体であってよい。
【００１１】
開示薬用モジュール及び薬物送達デバイスの具体的な実施態様は、単回入力及び関連の事前に定義された治療プロファイルは、使用者がデバイスを使用する毎に使用者がそれらの処方量を計算する必要性を除き、そして単回入力が組み合わせ化合物の非常に容易な設定及び投与を可能にするので、器用さ又は計算困難を有する使用者にとって特に有利であり得る。
【００１２】
好ましい実施態様では、多回用量、使用者選択可能デバイス内に含まれるインスリンなどの基本薬物化合物は、２次薬剤の単回用量を含む単回使用、使用者交換可能モジュール、及び単回投与インターフェイスで使用することが可能である。一次デバイスに連結したときに、２次化合物は一次化合物の投与時に起動／送達され得る。本開示は、具体的にインスリンを記載するが、２つの可能な薬物組み合わせとして、インスリンアナログ又はインスリン誘導体、及びＧＬＰ−１又はＧＬＰ−１アナログ、鎮痛薬、ホルモン、βアゴニスト又はコルチコステロイドなどの他の薬物若しくは薬物組み合わせ、又はいずれの上記薬物の組み合わせを使用することも可能である。
【００１３】
以下において、用語「インスリン」は、ヒトインスリン又はヒトインスリンアナログ若しくは誘導体を含む、インスリン、インスリンアナログ、インスリン誘導体又はその混合物を意味するものとする。インスリンアナログの例は、限定されるものではなく、Ｇｌｙ（Ａ２１）、Ａｒｇ（Ｂ３１）、Ａｒｇ（Ｂ３２）ヒトインスリン；Ｌｙｓ（Ｂ３）、Ｇｌｕ（Ｂ２９）ヒトインスリン；Ｌｙｓ（Ｂ２８）、Ｐｒｏ（Ｂ２９）ヒトインスリン；Ａｓｐ（Ｂ２８）ヒトインスリン；ヒトインスリン、ここでＢ２８位置のプロリンはＡｓｐ、Ｌｙｓ、Ｌｅｕ、Ｖａｌ又はＡｌａによって置換されてよく、そしてここでＢ２９位置においてＬｙｓはＰｒｏによって置換されてよい；Ａｌａ（Ｂ２６）ヒトインスリン；Ｄｅｓ（Ｂ２８−Ｂ３０）ヒトインスリン；Ｄｅｓ（Ｂ２７）ヒトインスリン又はＤｅｓ（Ｂ３０）ヒトインスリンである。インスリン誘導体の例は、限定されるものではなく、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイル−ヒトインスリン；Ｂ２９−Ｎ−パルミトイルヒトインスリン；Ｂ２８−Ｎ−ミリストイル−ＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−Ｙ−グルタミル）−ｄｅｓ（Ｂ３０）ヒトインスリン；Ｂ２９−Ｎ−（Ｎ−リトコリル−Ｙ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン及びＢ２９−Ｎ−（ω−カルボキシヘプタデカノイル）ヒトインスリンである。
【００１４】
ここで使用される用語「ＧＬＰ−１」は、限定されるものではなく、エキセナチド（エキセンジン−４（１−３９）、配列Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ2）のペプチド、エキセンジン−３、リラグルチド、又はＡＶＥ００１０（Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｓｅｒ−Ｌｙｓ−Ｌｙｓ−Ｌｙｓ−Ｌｙｓ−Ｌｙｓ−Ｌｙｓ−ＮＨ2）を含む、ＧＬＰ−１、ＧＬＰ−１アナログ、又はその混合物を意味するものとする。
【００１５】
βアゴニストの例は、限定されるものではなく、サルブタモール、レボサルブタモール、テルブタリン、ピルブテロール、プロカテロール、メタプロテレノール、フェノテロール、メシル酸ビトルテロール、サルメテロール、ホルモテロール、バンブテロール、クレンブテロール、インダカテロールである。
【００１６】
ホルモンは、ゴナドトロピン(ホリトロピン、ルトロピン、コリオンゴナドトロピン、メノトロピン)、ソマトロピン (ソマトロピン)、デスモプレッシン、テルリプレッシン、ゴナドレリン、トリプトレリン、ロイプロレリン、ブセレリン、ナファレリン、ゴセレリンなどの、例えば脳下垂体ホルモン又は視床下部ホルモン又は調節活性ペプチド及びそれらのアンタゴニストである。
【００１７】
１つの態様によれば、薬用モジュールが提供される。薬用モジュールは薬物送達デバイスに取り付け可能であり得る。薬物送達デバイスは第１の薬剤を保持するための一次リザーバを含んでよい。薬用モジュールは第２の薬剤を含んでよい。好ましくは、第２の薬剤は、薬用モジュールが薬物送達デバイスに取り付けられる前に薬用モジュールに入れられる。薬物送達デバイス、特に一次リザーバは好ましくはモジュールがデバイスに取り付けられる前に第１の薬剤で満たされる。薬用モジュールは特に注射デバイス、例えばペン型注射デバイスに適合し得る。デバイスは、薬用モジュールがデバイスに取り付けられる前又は薬用モジュールがデバイスから取り除かれた後に、一次リザーバに保持された第１の薬剤の用量を設定及び投与するのに好適であり得る。従って、デバイスは、例えば薬用モジュールの不存在下でも作動するように構成される、独立型デバイスを形成するのに好適であり得る。このために、ニードルカニューレは、好ましくは取り除き可能で、デバイスの遠位端に取り付け可能であり得る。
【００１８】
例として、薬用モジュールのリザーバは液状薬剤を含んでよい。薬剤は、ＧＬＰ−１を含み、又はインスリン及びＧＬＰ−１のプレミックスを含んでよい。薬物送達デバイスは用量ボタンを含んでよい。用量ボタンは、第１の薬剤の用量がデバイスから投与されるようにするいずれのトリガー機構であり得る。用量ボタンは用量ダイヤルボタンであってよい。薬物送達デバイスはデバイス連結部材を含んでよい。デバイス連結部材は用量ボタンに操作可能に連結され得る。デバイス連結部材は、用量ボタンが起動するとき、特に用量ボタンが用量を送達するのに起動するとき軸方向に可動であってよい。ここでは、例えば用量ボタンは薬物送達デバイスの使用者により十分に押圧され得る。用量ボタンの動きは次に、デバイス連結部材及び用量ボタンの機械的協動により遠位方向においてデバイス連結部材の動きに伝達され得る。特に、デバイス連結部材は、用量ボタンが遠位に動くときにだけ起動し得る。デバイス連結部材は、薬用モジュールを用量ボタンの起動に操作可能に連結し得る。特に、連結部材は、後でより詳細に記載される用量ボタンに操作可能に連結されるプッシュロッドを含んでよい。プッシュロッドは、用量ボタンが薬物送達デバイスの使用者によって十分に押圧されるとき軸方向に可動であってよい。
【００１９】
薬用モジュールはハウジングを含んでよい。ハウジングは薬物送達デバイスに取り付けのために構成されるコネクタを含んでよい。ハウジングは、薬用モジュールが薬物送達デバイスに取り付けられるとき、デバイス連結部材の一部分、例えばプッシュロッドを受け入れるように構成され得る。薬用モジュールは、薬剤の少なくとも１回の用量を含むハウジングにリザーバを更に含んでよい。リザーバは薬剤、例えば第２の薬剤の単回用量を含んでよい。薬用モジュールは薬用ニードルであってよい。薬用モジュールは第１の又は近位のニードルカニューレを含んでよい。薬用モジュールは第２の又は遠位のニードルカニューレを含んでよい。モジュールのリザーバは第１と第２の針の間で軸方向に配置されてよい。ニードルカニューレは、モジュールのリザーバとの流体連通を確立するように適合及び配置されてよい。第２のニードルカニューレの遠位端は注射部位に適用されるように構成され得る。第２のニードルカニューレの近位端はモジュールのリザーバ、特に第２のリザーバの遠位端に配置されるシール又はセプタムを穿孔するように構成され得る。第１のニードルカニューレの遠位端は、モジュールのリザーバ、特に２次リザーバの近位端に配置されるシール又はセプタムを穿孔するように構成され得る。第１のニードルカニューレの近位端は一次リザーバ、特に一次リザーバの遠位端に配置されるシール又はセプタムを穿孔するように構成され得る。薬用モジュールは、薬用モジュールの一部分に配置されるニードルカニューレの少なくとも１つに対して保護を提供するためのニードルガードを含んでよい。ニードルガードはニードルガード組立体であってよい。ニードルガードは注射部位への適用中に軸方向に動くように構成され得る。ニードルガードは薬用モジュールのハウジングに操作可能に連結され得る。
【００２０】
尚更に、薬用モジュールはニードルガードの軸方向の動きを不可能にするためのロッキング手段を含んでよい。ロッキング手段は、薬物送達デバイスの用量ボタンの起動に操作可能に連結され、そしてニードルガードの軸方向運動に操作可能に連結されるように構成され得る。ロッキング手段は、用量送達操作の事前に定義された回数の後にだけ、ニードルガードを軸方向に動くことを不可能にするように構成され得て、ここで用量送達操作はニードルガードを軸方向に動かし、そして用量を送達するための用量ボタンを起動する工程を含む。ロッキング手段は、薬物送達デバイスのデバイス連結部材と係合可能であるように構成されるモジュール連結部材を含んでよい。デバイス連結部材は用量ボタンに操作可能に連結されてよく、そして特に用量ボタンの起動にロッキング機能を操作可能に連結してよい。モジュール連結部材は軸方向に可動なように構成され得る。モジュール連結部材は軸方向に動くように構成される薬用モジュールのハウジングに位置し得る、スリーブを含んでよく又は設計され得る。更に、ロッキング機能は回転して動くように構成される回転部材を含んでよい。特に、回転部材は、それが各用量送達操作、それによる送達用量の回数をカウンティング後に規定の回転運動を行うように構成され得る。回転部材は軸方向に及び回転していずれにも動くように構成され得る。回転部材はロッキングカラーとして設計し又は含んでよい。回転部材は、所与の用量が送達された後モジュール連結部材により回転するようにさせられてよい。特に、モジュール連結部材は第１の傾斜機能を含んでよく、そして回転部材は第２の傾斜機能を含んでよい。所与の用量が送達されるとき、第１の傾斜機能及び第２の傾斜機能は、送達された所与の用量のカウンティングを容易にするため、回転部材を回転させるように相互作用し得る。更に、薬用モジュールは第１のばねを含んでよく、ここで第１のばねはニードルガードに操作可能に連結される。第１のばねは、ニードルガードが近位方向に後退し、そして注射部位から取り除かれるときに、ニードルガードを軸方向に、特に遠位方向に押し出し得る。薬用モジュールは、回転部材、例えばロッキングカラーに操作可能に連結された第２のばねを更に含んでよい。第２のばねは、送達された所与の用量のカウンティングを容易にするため、回転部材を軸方向に押し出し得る。１つの実施態様では、用量の送達中、ニードルガードは後退位置にありそしてデバイス連結部材は起動し、例えばデバイス連結部材のプッシュロッドは陥凹位置にあってよい。ロッキング手段は、それが後退位置にあるニードルガードによって起動し、そして用量ボタンの起動に因る連結部材の起動であるように構成され得る。特に、ロッキング手段は当該用量送達操作の回数をカウントするように構成され得る。特に、ロッキング手段は、ニードルガードの後退位置における用量ボタンの起動だけが用量送達操作としてカウントされるように構成され得る。ロッキング機能、及び特に、ロッキング機能の回転部材は、事前に定義された回数の用量が薬用モジュールを介して送達された後、更にニードルガード組立体の軸方向運動を防止するように構成され得る。好ましくは、ニードルガードは、事前に定義された回数の用量送達操作が行われるまで軸方向に可動である。特に、ニードルガードは、用量ボタンが、そしてそれによりデバイス連結部材が起動して、但しニードルガードが、用量ボタンが起動したとき後退位置になかった後、後退位置に軸方向に動くようにされ得る。その上、ニードルガードは、用量ボタンが用量を送達するために起動する前に、後退位置に数回軸方向に動くようにされ得る。ニードルガードのロッキングを達成するために、ニードルガードは、ニードルガードの軸方向運動を不可能にするロッキング機能を含んでよく、ここで回転部材は事前に定義された回数の用量が送達された後、ロッキング機能と係合する。それにより、ニードルガードは回転部材にロックされ得る。特に、ロッキング機能は、用量を送達後カバーし又は十分に伸長した遠位位置にニードルガードがロックするように構成され得る。これはモジュールの意図しない再使用を防止し得る。
【００２１】
薬用モジュール及び薬物送達デバイスの具体的な実施態様によれば、用量ボタンの単回起動により、ニードルガードが後退しているとき、一次リザーバからの薬剤及び薬用モジュールからの第２の薬剤は、モジュールの出力ニードルを通して排出することができる。送達手順の終了時に、実質的にすべての第２の薬剤は排出され得て、並びに第１の薬剤の選択用量は単回投与インターフェイスを通して排出され得る。「実質的にすべて」とは少なくとも約８０％の第２の薬剤が薬物送達デバイスから排出され、好ましくは少なくとも約９０％が排出されることを意味する。加えて、より多くの一次薬剤を注射する必要がある場合、ニードルガードがロックアウトする前に別の用量を設定及び注射することができる。
【００２２】
具体的な実施態様によれば、薬用モジュールは第１及び第２のドニードルカニューレを含んでよく、ここでは第１のニードルカニューレはモジュールの近位端に取り付けられてよく、そして第２のニードルカニューレはモジュールの遠位端に取り付けられてよい。２つのニードルカニューレは、ニードルガードが十分に遠位方向に伸びているときモジュールのリザーバ中の薬剤と流体連通していなくてよい。２つのニードルカニューレは、ニードルガードが近位方向に後退しているとき薬剤と流体連通してよい。薬用モジュールはバイパス例えばバイパスチャンネルを含んでよく、リザーバ中の薬剤をバイパスする。ニードルカニューレは、ニードルガードが十分に遠位方向に伸びているときバイパスと流体連通してよい。
【００２３】
１つの実施態様では、例えば図２に示される実施態様において、ロッキング機能はロッキングアウト前には単回のニードルガード後退をカウントするだけである。ここでは、ニードルガードは遠位方向におけるそれに続く伸長後にロックされる。特に、用量ボタンの起動は、モジュール連結部材でデバイス連結部材を、それにより回転部材でモジュール連結部材を押圧する結果をもたらし得る。例として、用量送達操作は、回転部材のロッキングカラー上で連結部材のスリーブを押圧する結果をもたらし得る。それにより、回転部材、例えばロッキングカラーは、ニードルガードが再度伸びるときに、ニードルガードがロックアウトされる位置で終わるように回転させられてよい。しかしながら、更なる実施態様によれば、ロッキング機能はロッキングアウト前に多回用量をカウントするように構成することができる。例として、事前に定義された回数の用量は１用量から４用量までの範囲であってよい。ロックアウト前に事前に定義された多回用量を可能にするために、ロッキング機能は、回転部材、例えばロッキングカラーが規定の回転運動、そして特に各用量送達操作後に事前に定義された量の回転運動を行い得るように構成され得る。それにより、ロッキング手段は送達用量の回数をカウントし、そして事前に定義された用量の数の後、例えば多回用量が送達された後にロックアウトする。モジュール連結部材例えばスリーブ、又は回転部材例えばロッキングカラーは、ニードルガードが後退して伸長し、そして用量ボタンが起動する度に回転部材を設計公知の距離に徐々に回転させるように設計された更なる歯を有してよい。規定数の増分(必要用量カウント)後に、ニードルガードは次いて伸長位置にロックし得る。例えば、ロックアウト前に２用量をカウントするために、ロッキングカラー及び／又はスリーブは２つの歯を有し得る；３用量をカウントするために、ロッキングカラー及び／又はスリーブは３つの歯を有し得るなどである。
【００２４】
第１の具体的実施態様によれば、薬物送達デバイスに取り付け可能な薬用モジュールが提供され、ここで薬物送達デバイスは第１の薬剤を保持するための一次リザーバを含み、そして薬用モジュールは第２の薬剤を含む。薬用モジュールは、薬用モジュールの一部分に配置され、そして注射部位へ適用中に軸方向に動くように構成される少なくとも１つの針に対して保護を提供するために、第２の薬剤を保持するリザーバ及びニードルガードを更に含む。薬用モジュールはニードルガードの軸方向運動を不可能にするためのロッキング手段を更に含み、ロッキング手段は薬物送達デバイスの用量ボタンの起動部に、そしてニードルガードの軸方向運動に操作可能に連結されるように構成されている。その上、ロッキング手段は、事前に定義された回数の用量送達操作後だけにニードルガードを軸方向に動くことを不可能にするように更に構成され、ここで用量送達操作は、ニードルガードを軸方向に動かし、そして用量を送達するための用量ボタンを起動する工程を含む。
【００２５】
更なる具体的な実施態様によれば、薬物送達デバイスに取り付け可能な薬用モジュールが提供される。薬物送達デバイスは用量ダイヤルボタンに操作可能に連結されるプッシュロッドを含み、ここでプッシュロッドは、用量ダイヤルボタンが薬物送達デバイスの使用者によって押し下げられるときに軸方向に可動である。薬用モジュールは薬物送達デバイスに取り付けのために構成されるコネクタを有するハウジングを含み、ここでハウジングは、薬用モジュールが薬物送達デバイスに取り付けられるときにプッシュロッドの一部分を受け入れるように構成される。更に、薬用モジュールは、薬剤の単回用量を含むハウジングにリザーバを含む。その上、薬用モジュールは、ハウジングで操作可能に連結されそして注射部位に適用中に軸方向に動くように構成されるニードルガード組立体、ハウジングで軸方向に動くように構成されるハウジングのスリーブ、及びハウジングで軸方向に及び回転して動くように構成されるハウジングのロッキングカラーを含み、ここで用量の送達中、ニードルガードは後退位置にありそしてプッシュロッドは陥凹位置にあり、そしてロッキングカラーは更に、事前に定義された回数の用量が薬用モジュールを介して送達された後、ニードルガード組立体が軸方向に動くことを防止するように構成される。
【００２６】
更なる態様によれば、薬物送達デバイスに対するニードルガード組立体が提供される。ニードルガード組立体は上記のようにニードルガード及びロッキング手段を含む。特に、ロッキング手段は、事前に定義された回数の用量送達操作が行われている場合にだけ、ニードルガードが軸方向に動くことを不可能にするに構成され得る。ニードルガード組立体は、薬剤を保持するためのリザーバを含んでよく、又は当該リザーバはなくてもよい。ニードルガード組立体中のニードルガード及びロッキング手段の操作は薬用モジュールと関連して上記の操作と類似又は同一であってよい。
【００２７】
更なる態様によれば、上記のように薬用モジュールを含み又はニードルガード組立体を含む薬物送達システムが提供される。薬物送達システムが薬用モジュールを含む場合には、それは少なくとも１つの作用物質を含む薬剤の一次リザーバを含んでよく、ここでは薬用モジュールは一次リザーバとの流体連通のために構成される。例として、一次リザーバ又は２次リザーバ又は両方のリザーバは液状薬剤を含んでよい。一次リザーバはインスリンを含んでよい。２次リザーバはＧＬＰ−１を含み、又はＧＬＰ−１及びインスリンのプレミックスを含んでよい。薬物送達デバイスは２つ又はそれ以上の薬剤を送達するように構成され得る。薬物送達デバイスは、薬用モジュールのロッキング手段に操作可能に連結された用量ボタン、及びロッキング手段に用量ボタンを操作可能に連結するデバイス連結部材を含む。薬物送達システムは、単回用量設定器及び単回投与インターフェイスを通して操作可能であり得る。それは、薬剤の一次リザーバに操作可能に連結される単回用量設定器、及び薬剤の一次リザーバに操作可能に連結される用量ボタンを含むハウジングを含んでよい。デバイス連結部材は用量ボタンに操作可能に連結されるプッシュロッドとして設計されてよく、ここでプッシュロッドは、用量ボタンが薬物送達システムの使用者によって押し下げられるとき軸方向に可動である。
【００２８】
用量を送達するために、上記の薬物送達システムは下記のように操作されてよい：
（ｉ）所与の用量は、デバイス連結部材及びモジュール連結部材が第１の軸方向に動く場合に選択され、
（ｉｉ）ニードルガードは第１の軸方向に後退し、それにより回転部材を第１の方向に軸方向に動くようにさせ、
（ｉｉｉ）デバイス連結部材はその後第２の軸方向に動き、そしてモジュール連結部材を第２の軸方向に動くようにさせ、ここで第２の方向は実質的に第１の方向と反対側であり、そして
（ｉｖ）モジュール連結部材は回転部材と相互作用し、回転部材を周方向に回転させ、
（ｖ）ニードルガードは第１の軸方向と反対位置に実質的に第２の軸方向に伸びると、それは、送達した所与の用量をカウントするために、回転部材が第２の方向に軸方向に動きそして周方向に回転することを可能にする。
【００２９】
尚更なる態様によれば、薬剤を投与する方法に関する。方法は試験目的に使用されてよく、そして手術又は治療によるヒト又は動物体の処置を含まなくてよい。方法は：
ａ．薬物送達デバイスが用量ボタン及び用量ボタンに操作可能に連結されたデバイス連結部材を含む、上記の薬用モジュールを薬物送達デバイスに取り付けて；
ｂ．デバイス連結部材が方向に動くように、薬物送達デバイスに薬剤の用量を設定し；
ｃ．デバイス連結部材を軸方向に動くようにさせて設定用量を投与するための用量ボタンを起動し、それにより薬用モジュール中に配列した回転部材を起動し、ここで回転部材の起動は、薬用モジュールのニードルガードは事前に定義された回数の用量が送達された後に軸方向に動くことを防止する、という工程を含む。
【００３０】
１つの態様は、薬物送達システムを試験するための方法に関し、方法は：
Ａ）既述の薬用モジュールを提供すること。モジュールのリザーバは第２の薬剤の用量で満たされてよい。
Ｂ）薬用モジュールを薬物送達デバイスに取り付けること。薬物送達デバイスは用量ボタン、薬剤の一次リザーバ、及び用量ボタンに操作可能に連結されるデバイス連結部材を含んでよい。薬物送達デバイスの一次リザーバは、モジュールがデバイスに取り付けられる前に少なくとも部分的に薬剤で満たされてよい。好ましくは、一次リザーバは薬剤の複数の用量を含む。
Ｃ）デバイス連結部材が近位に動くように、薬剤の用量を薬物送達デバイスで設定すること。
Ｄ）薬剤が薬物送達デバイスの一次リザーバから遠位方向に押し出されるように、プライミング操作を行うために用量ボタンを起動すること。用量ボタンを起動するとき、デバイス連結部材は遠位に動き得る。薬剤は近位ニードルを通して押し出され得る。薬剤は次いで薬用モジュールのリザーバの周りに、そしてリザーバの遠位端に配置された針を通して押し出され得る、という工程を含む。
【００３１】
更に、方法は：
Ｅ）薬用モジュールのニードルガードを近位方向に動かすこと。それにより、モジュール連結部材は、ニードルガード及びモジュール連結部材の機械的協動により近位方向に動き得る。
Ｆ）デバイス連結部材が近位に動くように、薬剤の更なる、好ましくは可変用量を薬物送達デバイスに設定すること。
Ｇ）連結部材を遠位に動かすために用量ボタンを起動すること。それにより、モジュール連結部材は、デバイス連結部材との機械的協動により遠位にあってよい。薬用モジュールに配列された回転部材は、それによりモジュール連結部材及び回転部材の機械的協動により起動し得る。回転部材の起動は、事前に定義された回数の用量が送達された後に回転部材及びニードルガードの機械的協動により、薬用モジュールのニードルガードが軸方向に動くことを防止するように構成され得る、という工程を含んでよい。
【００３２】
デバイス連結部材はプッシュロッドであってよい。プッシュロッドはデバイスのハウジングに沿って、特にハウジングの内面に沿って軸方向に伸びてよい。プッシュロッド、特にプッシュロッドの遠位端セクションは、ハウジングの遠位端から突出するように構成され得る。薬用モジュールの取り付け中、プッシュロッドの遠位端は薬用モジュールのハウジングに配列され得る。特に、プッシュロッドの遠位端セクションは、プッシュロッド及びモジュール連結部材の機械的協動が可能になるように、薬用モジュールの近位端セクションに突出し得る。プッシュロッドの近位端は、薬物送達デバイスのハウジングの近位端にわたって伸びてよい。従って、用量ボタンが起動し、即ち遠位方向に動くとき、用量ボタンは、デバイス連結部材が遠位方向に動くようにデバイス連結部材と機械的協働し得る。従って、遠位方向における用量ボタンの動きは、遠位方向にデバイス連結部材の動きに伝達される。回転部材はロッキングカラーとして構成され得て、そして薬用モジュールのハウジングに配列され得る。薬用モジュールをデバイスに取り付ける代わりに、方法は上記のようにニードルガード組立体をデバイスに取り付ける工程を含んでよい、この場合、方法の操作工程は上記の操作工程と同じか又は類似してよい。
【００３３】
薬用モジュールは、適切な適合性インターフェイスを備えたいずれかの薬物送達デバイスとともに使用するように設計することができる。しかしながら、不適合デバイスへの不適切薬用モジュールの取り付けを防止するために、限定された、専用又はコード化機構の利用を通して１つの限定的な一次薬物送達デバイス（又はデバイス群）にその使用を制限するように、モジュールを設計することが好ましいといえる。場合によっては、薬用モジュールが１つの薬物送達デバイスに限定されること、また一方でデバイスに対する標準薬物投与インターフェイスの取り付けを許容することを確実にすることも有利であり得る。これはモジュールが取り付けられるときに使用者が併用療法を送達することを可能にし、しかしまた、限定されるものではないが、一次化合物の用量分割又は補充などの状況において標準薬物投与インターフェイスを通して独立に一次化合物の送達を可能にし得る。
【００３４】
特別な利点は、提案薬用モジュールが、必要なときに、特に調節期間が特定の薬物で必要になる場合、投薬計画を特注することを可能にすることである。薬用モジュールは、限定されるものではないが、患者に調節を容易にする特定の順序で供給薬用モジュールを使用するよう指示することができるように、機能又はグラフィックス、付番、触知機能、嗅覚弁別等の美的設計など明白な識別機能による調節レベルの数で供給することができる。あるいは、処方する医師は患者に「レベル１」調節薬用モジュールの回数を提供してよく、そして次いでこれらが終了又は使い切ったとき、医師は次のレベルを処方し得る。この調節プログラムの主たる利点は一次デバイスが終始変わらないことである。
【００３５】
好ましい実施態様では、一次薬物送達デバイスは１回以上使用され、従って多回使用性であり、しかしながら、薬物送達デバイスはまた単回使用使い捨てデバイスであってもよい。当該デバイスは一次薬物化合物の交換可能なリザーバを有しても有さなくてもよい。また既に標準薬物送達デバイスを用いている患者に対して単発追加薬物として処方することができる、種々の状況に対して一連の異なる薬用モジュールを有することも可能である。患者が既使用の薬用モジュールを再使用しようとするならば、本モジュールは、使用者が薬用モジュールから用量を送達した後に起動するロッキングニードルガードを含んでよい。使用者に警告する他の手段は下記の幾つか（又は全部）を含んでよい：
一度、モジュールが使用され取り除かれている時点で一次薬物送達デバイスへの薬用モジュール再取り付けの物理的阻止。
一度、それが使用されている時点で薬物投与インターフェイスを通したその後の液体流の物理的／水圧的阻止。
一次薬物送達デバイスの用量設定器及び／又は用量ボタンの物理的ロック。
視覚的警告（例えば一度挿入及び／又は流体流が生じた時点でのモジュールに関する表示窓内の色及び／又は警告文／表示物（indicia）の変化）。
触知フィードバック（使用後のモジュールハブの外面における触知機能の存在又は不存在）。
【００３６】
更なる提案特徴は、両方の薬剤が１つの注射針を介してそして１つの注射工程で送達されることである。これは２つの別々の注射剤を投与するのと比べて、使用者工程削減の観点から使用者に簡便な利点を提供する。この利便性はまた、特に注射を不快とし又は計算若しくは器用さ困難な使用者に対して、処方された療法でのコンプライアンス改善をもたらし得る。
【００３７】
これら並びに本発明の種々態様の他の利点は、添付図面を適切に参照して下記の詳細な説明を読むことにより当業者に明らかになるものである。
【００３８】
本発明の範囲は請求項の内容によって規定される。本発明は特定の実施態様に限定されるものではなく、種々の実施態様のエレメントのいずれの組み合わせをも含む。その上、本発明は請求項のいずれの組み合わせも及び請求項により開示される特徴のいずれの組み合わせをも含む。
【００３９】
代表的な実施態様は以下において図面を参照して本明細書に記載される：
【図面の簡単な説明】
【００４０】
【図１】薬用モジュールに関連して用いることができる１つの可能な薬物送達デバイスの透視図を図示する。
【図２】代表的な薬用モジュールの透視図を図示する。
【図３】代表的な薬用モジュールの透視断面図を図示する。
【図４】薬用モジュールが薬物送達デバイスに取り付けられている図２の実施態様を図示する。
【図５】薬用モジュールが薬物送達デバイスに取り付けられている図２の実施態様の断面図を図示する。
【図６】薬用モジュールが薬物送達デバイスに取り付けられている図２の実施態様の透視断面図を図示する。
【図７】ニードルガードが伸長位置にある図４の実施態様の断面図を図示する。
【図８】ニードルガードが後退位置にある図４の実施態様の透視図を図示する。
【図９】ニードルガードが後退位置にある図４の実施態様の透視断面図を図示する。
【図１０】ニードルガードが後退位置にある図４の実施態様の断面図を図示する。
【図１１】ニードルガードが後退位置にありそしてプッシュロッドが押し下げられている図４の実施態様の透視図を図示する。
【図１２】ニードルガードがロックアウトされる直前における図４の実施態様の透視図を図示する。
【図１３】ニードルガードがロックアウトされている図４の実施態様の透視図を図示する。
【図１４】ニードルガードロックアウトを示す薬用モジュールの透視図を図示する。
【図１５】ニードルガードロックアウトを示す薬用モジュールの透視図を図示する。
【発明を実施するための形態】
【００４１】
開示薬用モジュール及び薬物送達システムの具体的実施態様は、２次薬物化合物（薬剤）の固定所定用量及び１次の又は第１の薬物化合物の可変用量を、単一出力又は薬物投与インターフェイスを通して投与することを可能にする。使用者による一次薬剤の用量設定は、第２の薬剤の単回用量と独立していてよく、これは好ましくは薬物送達デバイスに取り付け可能な薬用モジュール中のリザーバに含まれる。
【００４２】
好ましい実施態様では、薬物投与インターフェイスは、ニードルカニューレ（中空針）である。図１は、薬用モジュール２００（図２〜１５参照）が遠位端１３２の連結部材１０９に取り付けることができる薬物送達デバイス１００の１つの例を図示する。各薬用モジュール２００は、好ましくは内蔵型であり、そしてデバイス１００の遠位端１３２に、取り付け部材１０９に適合性の取り付け部材を有する、密閉及び滅菌使い捨て品として提供される。示されてはいないが、薬用モジュール２００は保護及び滅菌容器中に含まれて製造業者によって供給し得て、ここでは使用者が滅菌薬用モジュール２００に利用できるようにシール又は容器自体を剥がし又は裂き開いてよい。ある場合には、薬用モジュール２００の各端部に対して２つ又はそれ以上のシールを備えることが望ましいといえる。
【００４３】
薬物送達デバイス１００は好ましくは第１(又は１次)の薬剤を含む。図に示される実施態様は、環状リザーバ３０２内に完全に含まれている単回用量として第１の薬剤３００の利点を有し、それ故第２の薬剤と、薬用モジュール２００の構成に使用される材料、具体的には中心コア３０４又はモジュール２００の構成に使用されるいずれの他の部材との間の材料不適合性のリスクを最小化する。
【００４４】
投与操作の終わりにリザーバ３０２に残る可能性のある、再循環及び／又は停滞域によってもたらされる第２の薬剤の残存量を最小化するために、投与された薬剤の量を最大化するように構成され又は設計されたリザーバ３０２を有することが好ましい。可能性のある好ましい形状は図に示すように環形である。
【００４５】
図２〜１５に示される実施態様を参照して、薬用モジュール２００及び薬用モジュール２００の操作が詳細に記載される。図２は、薬物送達デバイス１００などの薬物送達デバイスに取り付け可能である薬用モジュール２００の好ましい配置を図示する。薬用モジュール２００は近位端２０４及び遠位端２０６を有するハウジング２０２を含む。近位端２０４は、薬物送達デバイス１００に取り付けのために構成される取り付け又は連結部材(示されず)を有する。いずれの公知の取り付け手段も、ねじ山、スナップロック、スナップフィット、ルアーロック、バヨネット、スナップリング、キードスロットなどあらゆるタイプの恒久的及び非恒久的な連結手段、及び当該連結材の組み合わせを含み、薬用モジュール２００を選択された薬物送達デバイス１００に取り付けるのに使用することができる。例えば、取り付け手段は、薬物送達デバイス１００の遠位端１３２の類似のねじ山を係合し得るねじ山であってよい。
【００４６】
薬用モジュール２００は、モジュール２００の近位端２０４に取り付けられ又は固定されている第1のニードルカニューレ２０８、及びモジュール２００の遠位端２０６に取り付けられ又は固定されている第２のニードルカニューレ２１０を有する。ハウジング２０２はまた、第１及び第２の針２０８、２１０間に軸方向に位置するリザーバ３０２を含み、そしてこのリザーバ３０２は第２の薬剤３００を含む。
【００４７】
ニードルガード組立体２１６はハウジング２０２に位置し、そしてこのニードルガード組立体２１６は注射部位に適用中に軸方向（矢印２１８によって規定される）に動くように構成される。好ましくは、ニードルガード組立体２１６は管状であり、そして図２に図示されるように緩み(又は伸長)位置において実質的に第２の針２１０を隠蔽する。第２の針を実質的に隠蔽する間に、ニードルガード２１６も不注意な針刺しを防止するのに役立つ。
【００４８】
薬用モジュール２００は、更にハウジング２０２に配列されるスリーブ２２０及びロッキングカラー２２２を含む。スリーブ２２０は少なくとも１つの傾斜機能２２１を含み、そしてロッキングカラー２２２は補足的な数の傾斜機能２２３を含む。ロッキングカラー２２２及びスリーブ２２０での更なる傾斜機能は、使用者が注射の所定の回数を行うことができるように使用し得る。好ましくは、これらの傾斜機能は三角形機能であり、「歯」と称してもよい。しかしながら、当然のことながら、他の形状の傾斜機能も同様に可能である。
【００４９】
薬用モジュール２００はまた第１のばね２２４及び第２のばね２２６を含んでもよい。第１のばね２２４はニードルガード組立体２１６の近位端３０６に操作可能に連結され、そして第２のばね２２６はロッキングカラー２２２の近位端３０８に操作可能に連結される。両方のばね２２４、２２６が圧縮された後、例えばニードルガード組立体２１６が軸方向に上方に動くとき、そしてロッキングカラー２２２が軸方向２１８に下方に動くとき、ばね２２４、２２６は、ニードルガード２１６及びロッキングカラー２２２を反対の軸方向２１８に下方に動かす力を与え得る。ばね２２４はニードルガード２１６を後退位置から伸長位置へ動くのを容易にし、はね２２６はニードルガード２１６のロッキングアウトを容易にする。操作中のばね２２４、２２６の動作は、下記に詳細に記載される。
【００５０】
薬用モジュール２００は、送達されている用量をカウントするように、そしてその後用量が送達された後にニードルガード組立体２１６をロックアウトするように作動する。有利なこととして、薬用モジュール２００は用量が実際に投与された後ロクアウトすることができ、そして使用者が注射過程を始めた後にではなくて実際に用量の投与を終了しない。これは複数の理由で有利である。例えば、当該ロックアウト機構は、使用者は注射過程を始めるが使用者が用量を投与するのを妨げる瘢痕組織に遭遇する場合に有利であり得る。薬用モジュール２００の部材は、用量が投与された後だけモジュール２００がロックアウトするように構成され、そしてこれらの部材の構成は下記に詳細に記載される。
【００５１】
薬用モジュール２００の薬物送達デバイス１００への取り付けは図４〜６を参照して記載され、そして薬物送達デバイス１００に取り付けられた薬用モジュール２００の操作は図５〜１５を参照して記載されている。
【００５２】
使用者は、薬用モジュール２００を上記の取り付け手段を用いて薬物送達デバイス１００に取り付け得る。薬物送達デバイス１００はプッシュロッド４００を含む。プッシュロッド４００はデバイス１００のハウジングに沿って軸方向に伸びる（明確には示されず）。プッシュロッド４００はハウジングの遠位端から突出することができる。プッシュロッド４００、特にプッシュロッド４００の遠位端セクションは、プッシュロッド４００及びスリーブ２２０の機械的協動が可能なように、次いで薬用モジュール２００のハウジング２０２に受け入れられる。プッシュロッド４００、特にプッシュロッド４００の遠位端セクションはスリーブ２２０と相互作用する。薬物送達デバイス１００が薬用モジュール２００に最初に取り付けられるとき、プッシュロッド４００はスリーブ２２０を方向４５０に下方に押し出し、スリーブ２２０をロッキングカラー２２２に近接して動かす。図４に見られるように、スリーブ２２０の傾斜端２２１はロッキングカラー２２２の傾斜端２２３に隣接する。
【００５３】
加えて、図４に見られるように、ロッキングカラー２２２は別の傾斜機能４１０を含み、そしてハウジングの内部は傾斜機能４１２を含む。図１４〜１５を参照してより詳細に記載するように、傾斜機能４１０及び４１２はニードルガード２１６のロッキングアウトを容易にする。取り付けられたとき、傾斜機能４１０は例えば傾斜機能４１２の右にある。この位置では、ニードルガード２１６はロックアウトされず、それ故に軸方向に自由に動ける。しかしながら、デバイス１００が注射部位に挿入されるとき（ニードルガード２１６は後退する）、傾斜機能２２１はロッキングカラー２２２で傾斜機能と相互作用し、そしてこれがまたその結果傾斜機能４１０を左の上方傾斜機能４１２に回転させるので、ロッキングカラー２２２は上方に持ち上げられ回転する。用量が投与されてニードル２１０が注射部位から取り除かれた後にニードルガード２１６が拡大するとき、ロッキングカラー２２２は下方に動き、そして傾斜機能４１０及び４１２はデバイス１００をロックアウトし始める。ロッキングカラーばね２２６は次いでロッキングカラー２２２及びニードルガード２１６を十分伸びた位置に戻させる。このばね２２６の力はロッキングカラー２２２が最終量を回転するようにさせる。ロッキングカラー２２２のロッキング機能４１６を、ニードルガード２１６のロッキング機能４１４により軸合わせへと動かすのはこの最終回転である。ニードルガード２１６が軸方向に動くことを防止するのはこの合わせである。ニードルガード２１６及びロッキングカラー２２２はこれで軸方向に係合し、そしてニードルガード２１６の軸方向運動はこれでロッキングカラー２２２の運動へ制約される。動きの制約は、ニードル２１０がロックアウト条件で実質的にカバーされ、その結果針刺し傷及び更なる針の使用を防止するようになるものである。
【００５４】
使用者が薬用モジュール２００を薬物送達デバイス１００に取り付けた後、そして使用者が薬用用量を注射する前に、使用者は所望に応じて注射デバイス１００をプライムし得る。選択的プライミング工程は図５〜７を参照して記載される。使用者はデバイス１００をプライムするために、薬物送達デバイス１００の用量設定器１１２を使用してよい。例えば、使用者はデバイス１００をプライムするために、１〜３ユニットの小用量を選択してよい。注射の前には、第２の薬剤３００は第１の針２０８か又は第２の針２１０と流体連通していない。しかしながら、第１及び第２の針２０８、２１０は、リザーバ３０２の周りの流路により互いに流体連通している。プライミング中、使用者が用量ボタン１１３を押圧するとき、第１の薬剤は、第１の針２０８を通して、リザーバ３０２の周りに、そして出力ニードル２１０を通して、薬物送達デバイス１００のカートリッジから遠位方向に押し出され得る。用量ボタン１１３は、用量設定器１１２により設定された第１の薬剤用量を、デバイス１００の遠位端１３２に向いて動くようにするいずれのトリガー機構であってよい。好ましい実施態様では、用量ボタン１１３は第１の薬剤の一次リザーバにおけるピストンを係合するスピンドルに操作可能に連結される。
【００５５】
リザーバ３０２の周りのこの経路は、好ましくはリザーバ３０２の周りに位置するチャンネル７０２によって作り出される。このチャンネル７０２は、ニードルガード２１６が伸長位置にあるとき、第１の針２０８と第２の針２１０間の流体連通を可能にする。
【００５６】
所望のプライミング後、使用者は用量を投与し得る。当然のことながら、用量を投与するとき、使用者は注射部位に抗して薬用モジュール２００を押圧し得て、それがニードルガード組立体２１６を後退させ得て、そして使用者は用量を送達するために用量ボタン１１３を押し下げさせ得る。薬用モジュール２００の部材（そして具体的にスリーブ２２０及びロッキングカラー２２２）は、使用者が（ｉ）ただニードルガード２１６を後退させるか、又は（ｉｉ）ニードルガード２１６を後退させそして用量ボタン１１３を押し下げるかによって決まる異なる機械的操作を行うように構成される。
【００５７】
明確にするために、ニードルガード２１６は後退してそして用量投与がない薬用モジュール２００の操作が記載され、続いてニードルガード２１６は後退してそして用量が投与された薬用モジュール２００の操作が記載されている。モジュール２００の操作は必ずしも使用者に対する用量送達と関連して行われないことに注意すべきである。薬用モジュール２００のヒト又は動物体との相互作用は行われる必要はない。特に、薬用モジュール２００の操作は、例えば薬用モジュール２００の機能性を試験するために行われてよい。
【００５８】
ほとんどの場合、使用者は用量を投与するときに、ニードルガード２１６を押し下げそして投薬ボタン１１３を完全に押し下げてよい。しかしながら、場合によっては、使用者は投薬ボタン１１３を完全に押し下げないでニードルガード２１６を後退させ得る。そのような場合には、薬用モジュール２００は送達されている用量をカウントせず、そして従ってその後デバイス１００をロックアウトしない。
【００５９】
図８は、ニードルガード２１６が後退位置にある場合の図４の実施態様の透視図を図示する。この図では、用量ボタン１１３は押し下げられていない。図に示すように、ニードルガード組立体２１６が軸方向８０２に後退しているとき、第２の針２１０はもはやガードされていない。好ましくは、ニードルガード２１６は使用者がモジュール１００を注射部位へ適用するにつれて後退し、そして第２の針２１０はその結果皮下注射を可能にするように注射部位を穿孔し得る。ニードルガード２１６を後退させることはまた、ロッキングカラー２２２及びスリーブ２２０を方向８０２に軸方向に動かすことであることも明らかである。使用者が一次デバイス１００のハウジングから用量セレクタをダイヤルすると、(ばねで作動する)プッシュロッド４００が外に「急に出る」。図に示すように、この動きは、ポイント８００で示されるように、ポイント４０４及び４０６（図４を比較のこと）間のギャップ４０２を取り除く。ニードルガード２１６は後退し、しかし用量ボタンはまだ十分に押し下げられていないこのポイントで、薬用モジュール２００はまだ用量をカウントしていない。使用者はニードルガード２１６を伸長位置に戻すことが可能で、そして薬用モジュール２００部材は図４に示すように戻り得る。ニードルガード２１６が後退しそして用量ボタン１１３は押し下げられていないとき、ロッキングカラー２２２はロッキング状態に動くほど十分に回転せず、その結果として機構は再度使用されるまでそのロック解除の開始位置に戻る。
【００６０】
図９は、ニードルガード２１６が後退位置にある場合の実施態様の透視断面図を図示し、そして図１０はリザーバ３０２の拡大図を図示する。図１０に示すように、ニードルガード２１６の動きは針２０８がリザーバ３０２を穿孔するようにさせる。従って、針２０８、２１０はリザーバ３０２と流体連通している。更に、図１０に示すように、針２０８及び２１０はもはやバイパスチャンネル７０２と流体連通していない。
【００６１】
図１１は、ニードルガード２１６が後退位置にあり、そしてプッシュロッド４００が押し下げられた場合の実施態様の透視図を図示する。両方のニードルガード２１６は軸方向に動いて用量が送達されている（用量ボタン１１３が完全に押し下げられている）ことから、これは用量をカウントし、その結果として薬用モジュール２００をロックアウトさせる。これは、（ｉ）プッシュロッド４００とスリーブ２２０、及び（ｉｉ）ロッキングカラー２２２とスリーブ２２０との相互作用を通して起こる。上記のように、投薬中、使用者はニードルガード２１６を第１の軸方向８０２に後退させる。この後退は、ロッキングカラー２２２及びスリーブ２２０が方向８０２に軸方向に動くようにさせる。用量ボタン１１３押し下げの終わりに使用者が用量ボタン１１３を押し下げると、用量ボタン１１３はプッシュロッドを第２の軸方向８０４に下方に押す。第２の方向８０４は実質的に第１の方向８０２と反対である。プッシュロッド４００はスリーブ２００を方向８０２に押す。
【００６２】
スリーブ２２０が方向８０４へ押されると、スリーブ２２０はロッキングカラー２２２と相互作用し、そしてロッキングカラー２２２が方向８０８に回転するようにさせる（ロッキングカラー２２２はニードルガード２１６に取り付けられた機構に軸方向に制約される）。これは傾斜機能２２１及び２２３の相互作用に因り実現される。描述されたように、傾斜機能２２１、２２３はほぼ４５度の傾斜を有してよい。しかしながら、当然のこととして、傾斜機能２２１、２２３は、少なくとも２つの機能が相互作用しロッキングカラー２２２を回転させ得る限りは、異なる角度の傾斜を有してよい。例えば、傾斜機能２２１は３０度の傾斜を有してよく、傾斜機能２２３は３０度の傾斜を有してよい。他の角度も同様に可能である。用量ボタン１１３を押し下げる必要があり、そしてニードルガード２１６をロッキングカラー２２２が軸方向に上方へ動くように後退させ、そして次にロッキング機能を係合させ始めるのに十分に回転させる必要があるという理由で、送達した用量をカウントするのは、プッシュロッド４００及びニードルガード２１６からのこの組み合わせ軸方向運動及びロッキングカラー２２２のその後の回転運動である。
【００６３】
送達されたこの用量をカウンティング後、薬用モジュール２００薬物送達の部材は、それが伸長位置に戻った後に、ニードルガード２１６をロックアウトするように設計される。図１２は薬用モジュール２００がロックアウトされる直前の薬用モジュール２００の透視図であり、そして図１３はニードルガード２１６がロックアウトされる場合の図４の実施態様の透視図である。
【００６４】
具体的に、ニードルガード２１６がばね２２４の力の下に伸びるにつれて、ロッキングカラー２２２はばね２２６の力の下に方向８０４に軸方向に動く。用量がデバイス１００によってカウントされるとロッキングカラー２２２が回転したという事実に因り、傾斜機能４１０は傾斜機能４１２の上方に位置する。図１２に見られように、これらの傾斜機能４１０、４１２は互いに隣接し、そして図１３に見られるように、傾斜機能４１２はロッキングカラー２２２を方向８０６に周囲に回転するようにさせる。ニードルガード２１６でロッキングカラー２２２をロッキング機能４１４と係合させるのはこの最後の回転運動である。
【００６５】
図１４〜１５は、本開示の実施態様に従ってニードルガード２１６がロッキングアウトされるときに、ロッキングカラー２２２及びニードルガード２１６を示すロッキングカラー２２２及びニードルガード２１６の近位端の詳細な透視図である。図１４は、ニードルガード２１６が伸長位置にあるときの、しかしロッキングカラー２２２が適切にニードルガード２１６をロックするように回転する直前の、ロッキングカラー２２２及びニードルガード２１６を示す。図１５は同じ機能を示すがしかし、ロッキング機能４１６はロッキング機能構４１４にロックすると、ロック位置へと回転したロッキングカラー２２２を備える。ロッキング機能「４１６は好ましくはロッキングカラー２２２からの突出部である。図１４〜１５に描出するように、この突出部は長方形であってよい。しかしながら、他の形状も同様に可能である。ロッキング機能４１４は好ましくはロッキング機能４１６が落ち込む凹部を含む。
【００６６】
ニードルガード２１６上で傾斜機能４１２はロクアウトを容易にするのに有用である。ニードルガード２１６は回転制約されているが、しかし軸方向に動くのは自由である。上記のように、使用中ニードルガード２１６は軸方向に自由に動くことができる。図４を参照しての上記のように、ニードルガード２１６は針２１０の挿入中に後退し、ロッキングカラー２２２の機構２２３の傾斜端で作動する傾斜機能の作動に因り、ロッキングカラー２２２は部分的に回転する。ニードルガード２１６の解除の際（即ち、ニードルガード２１６がその残りの伸長状態に後方へ伸びる際）、それは軸方向に動く。同時に、ロッキングカラー２２２は軸方向に動く。ニードルガード２１６が十分に伸長位置にあるとき、ロッキングカラー２２２は軸方向圧縮ばねの力の下で機構４１２に隣接し始める。ばね２２６の作動の下に、ロッキングカラー２２２はニードルガード２１６で機構４１２の傾斜機能に対して作動する（これでその最も伸長位置にある）。この作動はロッキングカラー２２２の最終の量を回転させる。
【００６７】
ニードルガード２１６が十分に伸びているとき、この最終回転はロッキングカラー２２２上の機構４１６を、それがニードルガード２１６上の三角形ロッキング機能４１４の進行をブロックするような位置に回転させる。このブロッキングはニードルガード２１６のいずれの更なる軸方向の動きも防止する。
【００６８】
実施態様では、これらの嵌め合い機能４１４、４１６はデバイス１００の直径周りを２回又はそれ以上の回数を繰り返してよく、有利に更なる安定性を備える。
【００６９】
薬用モジュールは、１つの注射後ロックアウトする単回使用デバイスとして上記されている。しかしながら、当然のことながら、実施態様に記載の薬用モジュールは多回注射後にロックアウトする多回使用モジュールとして設計し得る。例えば、薬用モジュールは、送達された３用量をカウントしそして第３の用量が送達された後でロックアウトするように設計され得る。一般的に、システムは、２用量及び４用量間の多数の用量などいずれの事前に定義された回数の用量をカウントするように設計され得る。上述のように、ロックアウト前に事前に定義された多回用量を可能にするために、スリーブ及び／又はロッキングカラーは、ニードルガードが後退しそして伸長する毎にロッキングカラーを既知の距離に徐々に回転させるように設計される更なる歯を有してよい。規定の数の増分(要求用量数)後に、ニードルガードは次いで伸長位置でロックし得る。
【００７０】
上記の実施態様のいずれかにおいて、薬用モジュール中の第２の薬剤は、粉末固体状態、リザーバ内に含まれ、又は薬物投与インターフェイスの内面へコーティングされたいずれかの流体状態であってよい。薬剤の高濃度の固形は低濃度を有する液体よりも小容積を占めるという利点を有する。これは順に薬用モジュールの目減りを減少させる。更なる利点は、第２の薬剤の固形が、薬剤の液体形態よりも２次リザーバにおいて密閉するのに場合によってはより簡潔になることである。デバイスは、投与中第１の薬剤によって溶解されている第２の薬剤による好ましい実施態様と同じように使用され得る。
【００７１】
上記実施態様の薬用モジュール間の連結又は取り付けは、特定の薬用モジュールが適合する薬物送達デバイスだけに取り付け可能なことを確実にする、コネクタ、止め具、スプライン、リブ、溝、及び類似の設計機構などの、更なる機構（示されず）を含んでよい。当該の更なる機構は、不適合注射デバイスへの不適切な薬用モジュールの挿入を防止し得る。
【００７２】
薬用モジュールの形状は、流体リザーバを画成するのに又は２次薬剤の別個の内蔵型リザーバを含むのに、そして１つ又はそれ以上のニードルカニューレを取り付けるのに好適な円筒体又はその他の幾何形状であってよい。薬用モジュールはガラス又は他の薬物接触好適材料から製作することができる。一体型注射針は皮下又は筋肉内注射に好適ないずれのニードルカニューレであってもよい。好ましくは、薬用モジュールは、無菌性を保持するために密閉されている独立型及び分離型デバイスとして製薬業者によって提供される。モジュールの滅菌シールは、薬用モジュールが前進し又は薬物送達デバイスに取り付けられるときに、好ましくは例えば切断し、引き裂き又は剥がすことによって自動的に開くように設計される。
【００７３】
本開示の薬用モジュールは、多回使用注射デバイス、好ましくは図１で図示されるものと類似の、ペン型多回用量注射デバイスと連動して作動するように設計され得る。注射デバイスは再使用可能又は使い捨てデバイスであってよい。使い捨てデバイスとは、薬剤を予め充填した製造業者から得られ、そして初回の薬剤を使い切った後に新しい薬剤を再充填することができない注射デバイスを意味する。デバイスは固定用量又は設定可能用量及び好ましくは多回用量デバイスであってよいが、しかしながら、ある場合には単回用量、使い捨てデバイスを使用することが有利となり得る。
【００７４】
典型的な薬物送達デバイスは薬剤のカートリッジ又は他のリザーバを含む。このカートリッジは、一般的に管状形であり、通常はガラスで製作される。カートリッジは一端においてゴム栓で、そして他端においてゴム製セプタムによって密閉され得る。注射デバイスは頻回注射剤を送達するように設計され得る。注射デバイスは更に用量設定器を含んでよい；用量設定器はリザーバに操作可能に連結されてよい。注射デバイスは用量ボタンを含む；用量ボタンはリザーバに操作可能に連結されてよい。用量ボタンは、用量設定器によって設定された薬剤の用量を、デバイスの遠位端に向いて遠位に動くようにさせるいずれのトリガー機構であってもよい。好ましい実施態様では、用量ボタンは、リザーバにおいてピストンを係合するスピンドルに操作可能に連結される。更なる実施態様では、スピンドルは２つの異なるねじ山を含む回転可能なピストンロッドである。送達機構は一般的に使用者の手動動作により作動する；しかしながら、注射機構は、ばね、圧縮気体又は電気エネルギーなどの他の手段によっても作動し得る。
【００７５】
本発明の代表的な実施態様が記載されている。しかしながら、当業者には当然のことながら、変更又は修正は、特許請求の範囲によって規定される本発明の真の範囲及び精神から逸脱することなくこれらの実施態様で行われてよい。
【００７６】
参照番号
１００  薬物送達デバイス
１０９  連結手段
１１２  用量設定器
１１３  用量ボタン
１３２  デバイスの遠位端
２００  薬用モジュール
２０２  薬用モジュールのハウジング
２０４  ハウジングの近位端
２０６  ハウジングの遠位端
２０８  第１のニードルカニューレ
２１０  第２のニードルカニューレ
２１６  ニードルガード組立体
２１８  軸方向
２２０  スリーブ／モジュール連結部材
２２１  スリーブの傾斜機能
２２２  ロッキングカラー／回転部材
２２３  ロッキングカラーの傾斜機能
２２４  第１のばね／ニードルガードのばね
２２６  第２のばね／ロッキングカラーのばね
３００  第２の薬剤
３０２  薬用モジュールのリザーバ
３０４  中心コア
３０６  ニードルガード組立体の近位端
４００  プッシュロッド／デバイス連結部材
４０２  ギャップ
４０４、  ４０６  ポイント
４１０  ロッキングカラーの傾斜機能４１０
４１２  ハウジングの傾斜機能
４１４  ニードルガード上のロッキング機能
４１６  ロッキングカラー上のロッキング機能
４５０  軸に下向きの方向
７０２  バイパスチャンネル
８００  ポイント
８０２  ニードルガードが後退する方向／第１の軸方向
８０４  第２の軸方向
８０６  回転方向
【図１】
2013518643.tif 000003
【図２】
2013518643.tif 000004
【図３】
2013518643.tif 000005
【図４】
2013518643.tif 000006
【図５】
2013518643.tif 000007
【図６】
2013518643.tif 000008
【図７】
2013518643.tif 000009
【図８】
2013518643.tif 000010
【図９】
2013518643.tif 000011
【図１０】
2013518643.tif 000012
【図１１】
2013518643.tif 000013
【図１２】
2013518643.tif 000014
【図１３】
2013518643.tif 000015
【図１４】
2013518643.tif 000016
【図１５】
2013518643.tif 000017
【国際調査報告】
2013518643.tif 000018
2013518643.tif 000019
2013518643.tif 000020